【手続補正書】
【提出日】令和3年6月11日(2021.6.11)
【手続補正１】
【補正対象書類名】特許請求の範囲
【補正対象項目名】全文
【補正方法】変更
【補正の内容】
【特許請求の範囲】
【請求項１】
マンドレルなしで、外側直径を有する熱処理金属管の直線状の供給から形成される熱処理金属管の配置積層体の水平巻きコイルを形成する方法であって、前記配置積層体が、外側配置積層体の半径と、内側配置積層体の半径と、前記配置積層体の層内の前記熱処理金属管の隣接した回転の内部中心間の距離に等しい半径方向ピッチ距離とを有し、
前記熱処理金属管の層１、層２、層３及び層４の反復四層グループを形成するに当り、
前記熱処理金属管の層１外側回転を形成し、前記層１外側回転が、層１の３００°の回転を超える外側配置積層体の半径と、層１の６０°の回転を超える半径方向ピッチ距離の層１内層回転移行割出とを有すること、
複数の層１内側回転を連続的に形成し、ここでは、複数の層１内側回転の層１の最後の一つにおける最後の層１内側回転の半径が、内側配置積層体の半径から半径方向ピッチ距離を差し引いたものに等しくなるまで、複数の層１内側回転の各連続した内側の一つの層１内側回転の半径が、複数の層１内側回転の前の内側の一つにおける前の層１内側回転の半径から、半径方向ピッチ距離で減少し、複数の層１内側回転の各々が、層１の３００°の回転を超える層１内側回転の半径と、層１の６０°の回転を超える半径方向ピッチ距離の層１内層回転移行割出とを有すること、
熱処理金属管の層１から層２への移行回転を形成し、当該層１から層２への移行回転が、層１から層２への移行回転の３００°の回転を超える内側配置積層体の半径と、層１から層２への移行回転の６０°の回転を超える層１から層２への移行割出とを有すること、
複数の層２外側回転を連続的に形成し、ここでは、複数の層２外側回転の層２の最後の一つにおける最後の層２外側回転の半径が、外側配置積層体の半径に等しくなるまで、複数の層２外側回転の各連続した外側の一つの層２外側回転の半径が、複数の層２外側回転の前の外側の一つにおける前の層２外側回転の半径から、半径方向ピッチ距離で増大し、複数の層２外側回転の各々が、層２の３００°の回転を超える層２外側回転の半径と、層２の６０°の回転を超える半径方向ピッチ距離の層２外層回転移行割出とを有すること、
熱処理金属管の層２から層３への移行回転を形成し、当該層２から層３への移行回転が、層２から層３への移行回転の３００°の回転を超える層２から層３への移行回転の外側配置積層体の半径と、６０°の回転を超える層２から層３への移行割出とを有すること、
複数の層３内側回転を連続的に形成し、ここでは、複数の層３内側回転の層３の最後の一つにおける最後の層３内側回転の半径が、内側配置積層体の半径から半径方向ピッチ距離を差し引いたものに等しくなるまで、複数の層３内側回転の各連続した内側の一つの層３内側回転の半径が、複数の層３内側回転の前の内側の一つにおける前の層３内側回転の半径から、半径方向ピッチ距離で減少し、複数の層３内側回転の各々が、層３の３００°の回転を超える層３内側回転の半径と、層３の６０°の回転を超える半径方向ピッチ距離の層３内層回転移行割出とを有すること、
熱処理金属管の層３から層４への移行回転を形成し、当該層３から層４への移行回転が、層３から層４への移行回転の３００°の回転を超える層３から層４への移行回転の内側配置積層体の半径と、層３から層４への移行回転の６０°の回転を超える層３から層４への移行割出とを有すること、
複数の層４外側回転を連続的に形成し、ここでは、複数の層４外側回転の層４の最後の一つにおける最後の層４外側回転の半径が、外側配置積層体の半径に等しくなるまで、複数の層４外側回転の各連続した外側の一つの層４外側回転の半径が、複数の層４外側回転の前の外側の一つにおける前の層４外側回転の半径から、半径方向ピッチ距離で増大し、複数の層４外側回転の各々が、層４の３００°の回転を超える層４外側回転の半径と、層４の６０°の回転を超える半径方向ピッチ距離の層４外層回転移行割出とを有すること、ならびに、
外側配置積層体の半径での熱処理金属管の３６０°回転により、熱処理金属管の層１、層２、層３及び層４の前記反復四層グループへの層４移行を形成すること
を特徴とする方法。
【請求項２】
マンドレルなしで、外側直径を有する熱処理金属管の直線状の供給から形成される熱処理金属管の配置積層体の水平巻きコイルを形成する方法であって、前記配置積層体が、外側配置積層体の半径と、内側配置積層体の半径と、前記配置積層体の層内の前記熱処理金属管の隣接した回転の内部中心間の距離に等しい半径方向ピッチ距離とを有し、
熱処理金属管の層１、層２、層３及び層４の反復四層グループを形成するに当り、
熱処理金属管の層１外側回転を形成し、前記層１外側回転が、層１の３００°の回転を超える外側配置積層体の半径と、層１の６０°の回転を超える半径方向ピッチ距離の層１内層回転移行割出とを有すること、
複数の層１内側回転を連続的に形成し、ここでは、複数の層１内側回転の層１の最後の一つにおける最後の層１内側回転の半径が、内側配置積層体の半径から半径方向ピッチ距離を差し引いたものに等しくなるまで、複数の層１内側回転の各連続した内側の一つの層１内側回転の半径が、複数の層１内側回転の前の内側の一つにおける前の層１内側回転の半径から、半径方向ピッチ距離で減少し、複数の層１内側回転の各々が、層１の３００°の回転を超える層１内側回転の半径と、層１の６０°の回転を超える半径方向ピッチ距離の層１回転移行割出とを有すること、
層１から層２への移行回転の３００°の回転を超える層１から層２への移行回転の内側配置積層体の半径と、層１から層２への移行回転の６０°の回転を超える半径方向ピッチ距離の層１から層２への移行割出とを有する熱処理金属管の層１から層２への移行回転を形成すること、
６０°の回転を超えて、内側配置積層体の半径と半径方向ピッチ距離の半分との合計に等しい第一層２内側回転の半径に、層１から層２への移行回転の割出しを行うこと、
層２の３００°の回転を超えて、内側配置積層体の半径と半径方向ピッチ距離の半分との合計に等しい第一層２内側回転の半径を有する熱処理金属管の第一層２回転を形成するとともに、層２の６０°の回転を超えて、半径方向ピッチ距離で増大する第一層２内側回転の半径と等しい内側回転の半径を有する複数の層２外側回転の第一層２外側回転に、第一層２回転移行の割出しを行うこと、
複数の層２外側回転を連続的に形成し、ここでは、複数の層２外側回転の最後の一つにおける最後の外側回転の半径が、外側配置積層体の半径から半径方向ピッチ距離を差し引いたものに等しくなるまで、複数の層２外側回転の各連続した外側の一つの層２外側回転の半径が、複数の層２外側回転の前の外側の一つの外側回転の半径から、半径方向ピッチ距離で増大し、複数の層２外側回転の各々が、層２の３００°の回転を超える外側回転の半径と、層２の６０°の回転を超える半径方向ピッチ距離の層２外層回転移行割出とを有すること、
層２から層３への移行回転の３００°の回転を超える層２から層３への移行回転の外側配置積層体の半径と、層２から層３への移行回転の６０°の回転を超える層２から層３への移行割出とを有する熱処理金属管の層２から層３への移行回転を形成すること、
複数の層３内側回転を連続的に形成し、ここでは、複数の層３内側回転の層３の最後の一つにおける最後の層３内側回転の半径が、内側配置積層体の半径から半径方向ピッチ距離を差し引いたものに等しくなるまで、複数の層３内側回転の各連続した内側の一つの層３内側回転の半径が、複数の層３内側回転の前の内側の一つにおける前の層３内側回転の半径から、半径方向ピッチ距離で減少し、複数の層３内側回転の各々が、層３の３００°の回転を超える層３内側回転の半径と、層３の６０°の回転を超える半径方向ピッチ距離の層３内層回転移行割出とを有すること、
層３から層４への移行回転の３００°の回転を超える層３から層４への移行の内側配置積層体の半径から半径方向ピッチ距離の半分を差し引いたものと、層３から層４への移行回転の６０°の回転を超える層３から層４への移行割出とを有する熱処理金属管の層３から層４への移行回転を形成すること、
複数の層４外側回転を連続的に形成し、ここでは、複数の層４外側回転の層４の最後の一つにおける最後の層４外側回転の半径が、外側配置積層体の半径から半径方向ピッチ距離の半分を差し引いたものに等しくなるまで、複数の層４外側回転の各連続した外側の一つの層４外側回転の半径が、複数の層４外側回転の前の外側の一つにおける前の層４外側回転の半径から、半径方向ピッチ距離で増大し、複数の層４外側回転の各々が、層４の３００°の回転を超える層４外側回転の半径と、層４の６０°の回転を超える層４外層回転移行割出とを有すること、ならびに、
外側配置積層体の半径での熱処理金属管の３６０°回転により、層１、層２、層３及び層４の反復四層グループへの層４移行を形成すること
を特徴とする方法。
【請求項３】
マンドレルなしで、外側直径を有する熱処理金属管の直線状の供給から形成される熱処理金属管の配置積層体の水平巻きコイルを形成する方法であって、前記配置積層体が、外側配置積層体の半径と、内側配置積層体の半径と、前記配置積層体の層内の前記熱処理金属管の隣接した回転の内部中心間の距離に等しい半径方向ピッチ距離とを有し、
熱処理金属管の層１及び層２の反復二層グループを形成するに当り、
熱処理金属管の層１外側回転を形成し、前記層１外側回転が、層１の３００°の回転を超える外側配置積層体の半径と、層１の６０°の回転を超える、外側配置積層体の半径から半径方向ピッチ距離を差し引いたものに等しい層１内層回転移行割出半径とを有すること、
複数の層１内側回転を連続的に形成し、ここでは、複数の層１内側回転の層１の最後の一つにおける最後の層１内側回転の半径が、内側配置積層体の半径から半径方向ピッチ距離を差し引いたものに等しくなるまで、複数の層１内側回転の各連続した内側の一つの層１内側回転の半径が、複数の層１内側回転の前の内側の一つにおける前の層１内側回転の半径から、半径方向ピッチ距離で減少し、複数の層１内側回転の各々が、層１の３００°の回転を超える層１内側回転の半径と、層１の６０°の回転を超える層１内層回転移行割出半径とを有すること、
内側配置積層体の半径に熱処理金属管の割出しを行うとともに、熱処理金属管の層１から層２への移行回転を形成し、当該層１から層２への移行回転が、層１から層２への移行回転の３００°の回転を超える内側配置積層体の半径と、層１から層２への移行回転の６０°の回転を超える層１から層２への移行割出とを有すること、
内側配置積層体の半径と半径方向ピッチ距離の半分との合計に、熱処理金属管の割出しを行うとともに、層２の３００°の回転を超えて、内側配置積層体の半径と半径方向ピッチ距離の半分との合計に等しい第一層２内側回転の半径を形成し、半径方向ピッチ距離で増大する第一層２内側回転の半径に等しい第二層２内側回転の半径に、層２の６０°の回転を超えて第二層２回転移行へ割出しを行い、
複数の層２外側回転を連続的に形成し、ここでは、複数の層２外側回転の最後の一つの外側回転の半径が、外側配置積層体の半径から半径方向ピッチ距離の半分を差し引いたものに等しくなるまで、複数の層２外側回転の各連続した外側の一つの層２外側回転の半径が、複数の層２外側回転の前の外側の一つにおける前の層２外側回転の半径から、半径方向ピッチ距離で増大し、複数の層２外側回転の各々が、層２の３００°の回転を超える外側回転の半径と、層２の６０°の回転を超える層２回転移行割出とを有すること、ならびに、
外側配置積層体の半径の熱処理金属管の３６０°回転により、層１及び層２の反復二層グループへの層２移行回転を形成すること
を特徴とする方法。